(57)【要約】【課題】１：１ロービングのロープ式エレベータ装置を、２：１ローピングのロープ式エレベータ装置にリニューアルする場合、機械室床に設けられた開口には、ロープが２回通ることになり、開口面積を拡大する工事が必要があった。【解決手段】昇降路２０内に設けられた乗りかご８及び釣合錘１０を、機械室１４に設けた巻上機３により、機械室床６に形成された開口７を通るロープ５を介して１：１ローピングで吊支したエレベータ装置を、２：１ローピングのエレベータ装置にリニューアルする際、ロープ５の、機械室１４から開口７を通って昇降路２０内に達する第１の部分に対し、昇降路２０内から機械室１４内のヒッチ部１５に達する第２の部分を、開口７近くに設置したロープガイド１３により、開口７内において第１の部分と干渉しない範囲で近付けることで、これらを共通の開口７内に挿通させることを可能とした。【選択図】図１
2012017165.tif 000002
【特許請求の範囲】
【請求項１】
昇降路内にそれぞれ昇降可能に設けられた乗りかご及び釣合錘を、機械室に設けた巻上機により、前記機械室の床に形成された開口を通るロープを介して１：１ローピングで吊支し、前記巻上機により相互に昇降駆動するエレベータ装置を、２：１ローピングにより吊支するエレベータ装置にリニューアルする方法であって、
前記ロープの、前記機械室内の巻上機から前記開口を通って昇降路内に達する第１の部分に対し、前記昇降路内から機械室内のヒッチ部に達する第２の部分を、前記開口近くに設置したロープガイドにより、前記開口内において前記第１の部分と干渉しない範囲で近付けることで、これら第１の部分及び第２の部分を共通の開口内に挿通させることを可能とした
ことを特徴とするエレベータのリニューアル方法。
【請求項２】
昇降路内にそれぞれ昇降可能に設けられた乗りかご及び釣合錘を、機械室に設けた巻上機により、前記機械室の床に形成された開口を通るロープを介して２：１ローピングで吊支し、前記巻上機により相互に昇降駆動するエレベータ装置であって、
前記２：１ローピングを構成するロープは、前記機械室内の巻上機から前記開口を通って昇降路内に達する第１の部分と、前記昇降路内から機械室内のヒッチ部に達する第２の部分とを有し、
前記開口近くには、前記第２の部分を、前記開口内において前記第１の部分に対してこの第1の部分と干渉しない範囲で近付けるロープガイドを設置して、これら第１の部分及び第２の部分を共通の開口内に挿通させた
ことを特徴とするエレベータ装置。
【請求項３】
前記機械室内に設けられた巻上機のメインシーブから昇降路内の乗りかごに向かう前記ロープの第１の部分に対し、この第１の部分が前記共通の開口内における前記第２の部分と干渉しない位置に配置されるように、垂直方向に対する所定の偏角を持たせたことを特徴とする請求項２に記載のエレベータ装置。
【請求項４】
前記機械室内に設けられた巻上機のメインシーブからソラセシーブを経て昇降路内の釣合錘に向かう前記ロープの第１の部分が前記共通の開口内における前記第２の部分と干渉しない位置に配置されるように、少なくとも前記ソラセーブから前記釣合錘までの部分に、垂直方向に対する所定の偏角を持たせたことを特徴とする請求項２又は請求項３に記載のエレベータ装置。
【発明の詳細な説明】
【技術分野】
【０００１】
本発明の実施形態は、１：１ローピングのエレベータ装置を２：１ローピングのエレベータ装置にリニューアルするエレベータ装置のリニューアル方法及びエレベータ装置に関する。
【背景技術】
【０００２】
既設の中低速ロープ式エレベータの多くでは、巻上機に歯車減速機を設け、電動機の回転を減速してメインシーブに伝え、メインシーブに巻きかけたロープを巻き上げてエレベータのかごを駆動している。この方式のエレベータではメインシーブは低速回転であり、メインシーブ部のトルクが大きいので、ロープ端末を乗りかごおよび釣合錘の上部に固定して駆動する、いわゆる１：１ローピングが用いられる。
【０００３】
このエレベータをリニューアルする場合、巻上機としては現存主流の減速機を用いずに、電動機で直接メインシーブを駆動するいわゆるギヤレス巻上機を使用することが考慮される。ギヤレス巻上機を使用する場合、乗りかご及び.釣合錘にそれぞれシーブを設けてロープを巻きかける、いわゆる２：１ロービングを採用する場合が多い。すなわち、２：１ロービングにより、巻上機を高速回転・低トルクとすることができ、減速機を使用しないギヤレス巻上機でエレベータを駆動することが出来る。
【先行技術文献】
【特許文献】
【０００４】
【特許文献１】特開２００７−１５８２７号公報
【発明の概要】
【発明が解決しようとする課題】
【０００５】
ところで、既設のエレベータでは、巻上機が設けられた機械室の床（機械室と昇降路との隔壁でもある）にロープ挿通用の開口が設けられている。この開口は、巻上機に巻きかけたロープを昇降路側の乗りかご及び釣合錘へ通すために、それらの上部に相当する位置にそれぞれ設けられている。これらの開口は、最小限の大きさに開け、巻上機の音が昇降路側に伝わり、乗りかごの乗客や建物住民に伝わって騒音を感じることがないようしている。
【０００６】
エレベータ装置のリニューアルに当って、ギヤレス巻上機と２：１ローピングを採用した場合、機械室床に設けられた乗りかご及び釣合錘用の開口には、それぞれ２回ロープが通ることになる。すなわち、往路部分及び復路部分の２本のロープが通ることになる。しかし、従来開けられた開口は、１本のロープが１回通るものであるため、そのままでは寸法的に通らず、開口面積を拡大するか、又は新たに大きな開口を設ける必要があった。
【０００７】
機械室の床はコンクリート製で２００ｍｍから３００ｍｍの厚さがあり、開口面積の拡大、又は新たな開口を設ける為には、レッカー又はホールソーといった特殊な工具を使用する必要があり、費用と時間がかかると共に、非常に大きな振動と騒音を発生する。エレベータ装置をリニューアルする場合は、エレベータ装置を新設する場合とは異なり、建物に住人がいる。このため、工事中における大きな振動と騒音の発生は、これらが居室等に伝わって住環境を著しく悪化させるので、確実に防止しなければならない。
【０００８】
したがって、１：１ロービングのロープ式エレベータ装置を、２：１ローピングのロープ式エレベータ装置にリニューアルする場合、リニューアル工事が少ない費用で短時間のうちに行われ、しかも振動や騒音を発生させないことが要望される。
【課題を解決するための手段】
【０００９】
本発明の実施の形態に係るエレベータ装置のリニューアル方法は、昇降路内にそれぞれ昇降可能に設けられた乗りかご及び釣合錘を、機械室に設けた巻上機により、前記機械室の床に形成された開口を通るロープを介して１：１ローピングで吊支し、前記巻上機により相互に昇降駆動するエレベータ装置を、２：１ローピングにより吊支するエレベータ装置にリニューアルする方法であって、前記ロープの、前記機械室内の巻上機から前記開口を通って昇降路内に達する第１の部分に対し、前記昇降路内から機械室内のヒッチ部に達する第２の部分を、前記開口近くに設置したロープガイドにより、前記開口内において前記第１の部分と干渉しない範囲で近付けることで、これら第１の部分及び第２の部分を共通の開口内に挿通させることを可能としたことを特徴とする。
【図面の簡単な説明】
【００１０】
【図１】本発明の一実施形態に係るリニューアル方法でリニューアルされたエレベータ装置の正面図である。
【図２】図１の側面図である。
【図３】図１の平面図である。
【図４】本発明の実施形態に係るロープに偏角をつけたエレベータ装置の乗りかご側を示す正面図である。
【図５】本発明の実施形態に係るロープに偏角をつけたエレベータ装置の釣合錘側を示す正面図である。
【図６】リニューアル前のエレベータ装置の正面図である。
【図７】図６の側面図である。
【発明を実施するための形態】
【００１１】
以下、本発明の実施の形態について説明する。
【００１２】
始めに、図６及び図７を用いてリニューアル前の１：１ローピングによるエレベータ装置を説明する。
【００１３】
図６及び図７において、リニューアル前のエレベータ装置は、昇降路２０内に乗りかご８及び釣合錘１０を、図示しないガイドレールによりそれぞれ昇降可能に設けている。これら乗りかご８及び釣合錘１０は、機械室１４内に設けられた巻上機１６により、ロープ５を介して吊支されている。ロープ５は、機械室１４の床６に形成された開口７を通って昇降路２０内に設けられた乗りかご８及び釣合錘１０の上部に結合されており、１：１ローピングを構成する。
【００１４】
巻上機１６は、歯車減速機を用いて電動機の回転を減速し、メインシーブ１７に伝えており、このメインシーブ１７は低速回転でトルクが大きい。したがって、その回転により、上述した１：１ローピングで、メインシーブ１７及び反らせシーブ１８に巻き掛けられたロープ５を介して、昇降路２０内に設けられた乗りかご８及び釣合錘１０を相互に昇降駆動する。
【００１５】
次に、図１乃至図３を用いて、２：１ローピングにリニューアルされたエレベータ装置を説明する。図１乃至図３において、機械室床６上にはマシンビーム１が２列に設置されており、その上には架台２を設け、架台２の上に減速機構を用いないギヤレス巻上機３が設置されている。巻上機３はメインシーブ４を備えており、このメインシーブ４に巻き掛けられたロープ５は、その一方が機械室床６に開けた開口７を通って昇降路２０内の乗りかご８に方向に向かっている。また、他方は架台２の下側に設けたソラセシーブ９，９にガイドされ、機械室床６に設けた別の開口７を通って釣合錘１０に向かっている。
【００１６】
これらの乗りかご８及び釣合錘１０には、２：１ローピングのために、それぞれシーブ１１，１２が設けられている。機械室１４から来たロープ５は、このシーブ１１，１２に巻きかけて反転させ、再び機械室１４に向わせ、機械室１４内においてロープヒッチ１５により架台２に固定する。このようにロープ５は、機械室１４から昇降路２０内へ、また昇降路２０内から機械室１４へと、２回、開口７を通ることとなる。
【００１７】
ここで、リニューアル前のエレベータ装置は、図６及び図７で示した１：１ローピングであったため、開口７は、１本のロープ５を１回通すだけでよく、また前述のように機械室１４で発生する騒音が昇降路２０内にできるだけ伝わらないようにするため、その開口面積は小さなものであった。したがって、乗りかご８及び釣合錘１０のシーブ１１，１２に巻きかけて反転したロープ５の往路部分と復路部分との幅は、開口７の開口面積より大きい場合が殆どであり、そのままでは、開口７にロープを、往復２回通すことができない。
【００１８】
そこで、この実施の形態では、開口７近くにロープガイド１３を設け、シーブ１１，１２で反転したロープ５の部分を図１で示すようにロープガイド１３にガイドさせ、ロープ５の往路部分（以下、第１の部分と呼ぶ）と復路部分（以下、第２の部分と呼ぶ）とが、共通の開口７内を通るように配置する。すなわち、ロープ５の、機械室１４内の巻上機３から開口７を通って昇降路２０内に達する第１の部分に対し、昇降路２０内から機械室１４内のヒッチ部１５に達する第２の部分を、開口７近くに設置したロープガイド１３により、開口７内において第１の部分と干渉しない範囲で近付けるようにガイドする。このことで、ロープ５の第１の部分及び第２の部分を共通の開口７内に挿通させることが可能となる。
【００１９】
この場合、ロープヒッチ１５側のロープ５は駆動されないので疲労・磨耗の心配は無く，ロープガイド１３は小型のもので十分である。
【００２０】
このように、乗りかご８側及び釣合錘１０側共、これらを吊り支するロープ５は、リニューアル前から機械室床６に開けられていた開口７を通って使用される。しかし、リニューアル前のエレベータ装置は１：１ロービングのため、ロープ５はそれぞれの開口７を１回通るだけであったが、リニューアル後のエレベータ装置は、２：１ロービングのため、１つの開口７をロープ５が２回通ることになる。そこで、乗りかご８、釣合錘１０から来たロープ５はロープガイド１３でガイドすることにより、ロープ５の往路と復路部分（第１の部分と第２の部分）どうしが干渉することなく、従来の開口７をそのまま利用してロープ５を通すことができる。
【００２１】
すなわち、既設の開口７を拡大したり又は新たに開口を設けなくても２：１ローピングのロープ５を通すことができる。従って時間のかかる機械室床面６に体する開口作業が無くなり、工事費用の低減、工事期間の短縮、振動・騒音の発生を防止できる。このため、建物の住民にとって、工事中における振動・騒音が無く、建物内で快適に過ごすことができる利点がある。
【００２２】
図４の実施の形態では、機械室１４内に設けられた巻上機３のメインシーブ４から、昇降路２０内の乗りかご８に向かうロープ５の第１の部分に対し、垂直方向に対する所定の偏角を持たせ、この第１の部分が共通の開口７内における第２の部分と干渉しない位置に配置されるように構成した。
【００２３】
すなわち、メインシーブ４とかごシーブ１１を結ぶロープ５の部分は垂直でなく、偏角を付ける、いわゆるロープドローを設ける。このロープドローを設けることにより、メインシーブ４とかごシーブ１１を結ぶロープ５は、機械室床６に開けた開口７内の端を通すことができる。これにより機械室床６の開口７がさらに小さい場合でも、かごシーブ１１とロープヒッチ１５を結ぶロープ５の第２の部分は、ロープ５の第１の部分との干渉を防ぐことができ、開口７を拡大する必要が無い。
【００２４】
図５の実施の形態では、機械室１４内に設けられた巻上機３のメインシーブ４からソラセシーブ９を経て昇降路２０内の釣合錘１０に向かうロープ５の第１の部分（少なくとも最終のソラセーブ９から釣合錘１０までの部分）に、垂直方向に対する所定の偏角を持たせ、この第１の部分が共通の開口７内における第２の部分と干渉しない位置に配置されるように構成した。
【００２５】
すなわち、ソラセシーブ９と釣合錘シーブ１２を結ぶロープ５は垂直でなく、偏角を付けるロープドローを設ける。このロープドローを設けることにより、ソラセシーブ９と釣合錘シーブ１２を結ぶロープ５は機械室床６に開けた開口７内の端を通すことができる。これにより機械室床６の開口７が小さい場合でも、釣合錘シーブ１２とロープヒッチ１５を結ぶロープ５の第２の部分は、ロープ５の第１の部分との干渉を防ぐことができ、開口７を拡大する必要が無い。
【００２６】
このように、１：１ローピングのエレベータ装置を２：１ローピングのエレベータ装置にリニューアルする際、ロープガイド１３を設けることによりロープヒッチ１５に向かうロープ部分をガイドしてそらせることが出来．機械室床６の開口７を拡大したり、又は新たに開口を開ける必要が無くなる。
【００２７】
これにより費用と工期のかかる工事が無くなると共に摂動・騒音を発生することが無いので、リニューアルエ事中も住民は快適に過ごすことが出来る。
【００２８】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２９】
３…巻上機
４…メインシーブ
５…ロープ
６…機械室床
７…開口
８…乗りかご
９…ソラセシーブ
１０…釣合錘
１１，１２…シーブ
１４…機械室
１５…ロープヒッチ
２０…昇降路
【図１】
2012017165.tif 000003
【図２】
2012017165.tif 000004
【図３】
2012017165.tif 000005
【図４】
2012017165.tif 000006
【図５】
2012017165.tif 000007
【図６】
2012017165.tif 000008
【図７】
2012017165.tif 000009